(57)【要約】本発明は、容器用の取り外し可能な把持装置（１）に関する。本発明の装置は、把持部本体（２）に取り付けられた把持部を形成する２つの部材（３、４）と、変位手段（６）と、作動手段（１６）とを有する。２つの把持部を形成する部材（３、４）のうちの１つは、開放位置と閉鎖位置との間を長軸方向に移動可能である。変位手段（６）は可動部材（４）を動かすように設計されている。作動手段（１６）は、把持部本体（２）に対して相対的に動くことができる。本発明によれば、作動手段（１６）は、静止位置と作動位置との間を長軸方向に移動可能で、かつレバー（７）を引き込み位置から展開した位置へと移動させるように取り付けられている。
2006502755.tif 000002
【特許請求の範囲】
【請求項１】
容器用の取り外し可能な把持装置（１）であって、
把持部を形成する２つの部材（３、４）と、
変位手段（６）と、
作動手段（１６）とを備え、
上記把持部を形成する２つの部材（３、４）は、把持部本体（２）に取り付けられ、
上記把持部を形成する２つの部材（３、４）の１つは、上記把持部本体（２）に対して、上記把持部本体（２）の長軸方向に略平行な方向に沿って、開放位置と閉鎖位置との間を自由に動き、
上記閉鎖位置において、上記把持部を形成する部材（３、４）は、上記容器の縁を把持するように調整されており、
上記変位手段（６）は、上記把持部を形成する部材（３、４）の互いの位置を相対的に変化させるように調整されており、
さらに上記変位手段（６）は、レバー（７）とトランスミッション手段（９）とを有し、
上記レバー（７）は、上記把持部本体（２）に対して、展開位置と引き込み位置との間を自由に回転移動し、
上記引き込み位置では、上記把持部を形成する可動部材（４）は上記閉鎖位置にあり、
上記トランスミッション手段（９）は、上記レバー（７）と上記把持部を形成する可動部材（４）との間を伸張し、上記レバー（７）が旋回する場合に、上記把持部を形成する可動部材（４）を移動させるように調整されており、
上記作動手段（１６）は、上記レバー（７）を展開させ、
上記作動手段（１６）は、上記変位手段（６）とは独立しており、上記把持部本体（２）において、当該把持部本体（２）の長軸方向と略平行な方向に沿って、静止位置と作動位置との間で自由に動くように配されており、
上記作動位置において、上記作動手段（２６）は、上記レバー（７）をその引き込み位置からその展開位置へと動かすことを特徴とする取り外し可能な把持装置（１）。
【請求項２】
復帰手段（１７）は、上記作動手段（１６）をその静止位置に動かそうとする力を常に当該作動手段（１６）にかけていることを特徴とする請求項１に記載の取り外し可能な把持装置（１）。
【請求項３】
上記作動手段（１６）は、上記作動位置にある場合よりもその静止位置にある場合に、上記把持部を形成する部材（３、４）により近い位置にあることを特徴とする請求項１または２に記載の取り外し可能な把持装置（１）。
【請求項４】
上記変位手段（６）の形状は、
上記レバー（７）が上記展開位置および上記引き込み位置にある場合には、当該レバー（７）は安定な平衡位置にあり、上記レバー（７）が上記２つの安定な平衡位置のうちの１つから他の１つに移る際には、当該レバー（７）は中間の不安定な平衡位置を通過する、
ように設計されていることを特徴とする請求項１〜３のいずれか１項に記載の取り外し可能な把持装置（１）。
【請求項５】
上記作動手段（１６）は、傾斜面（１８）を形成する部材を有し、
上記傾斜面（１８）を形成する部材は、
上記作動手段（１６）が上記作動位置にある場合に、上記レバー（７）の支持面（１９）に接触して停止するとともに、
上記レバー（７）を、その引き込み位置から上記不安定な平衡位置を通過する位置まで旋回移動させることを特徴とする請求項４に記載の取り外し可能な把持装置（１）。
【請求項６】
上記作動手段（１６）は作動ボタン（２０）を含み、
上記作動ボタン（２０）は、手動で操作されることにより上記作動手段（１６）を動かすことができ、上記レバー（７）が固定されている面とは反対側の、上記把持部本体（２）の面から突出していることを特徴とする請求項１〜５のいずれか１項に記載の取り外し可能な把持装置（１）。
【請求項７】
上記把持部を形成する可動部材（４）は、溝（２１）を有し、
上記溝（２１）を通して、上記作動ボタン（２０）は上記傾斜面（１８）に固定されていることを特徴とする請求項５または６に記載の取り外し可能な把持装置（１）。
【請求項８】
上記静止位置にある上記作動手段（１６）は、上記レバー（７）がその引き込み位置からその不安定な平衡位置へと旋回することを妨げるように設計されていることを特徴とする請求項１〜７のいずれか１項に記載の取り外し可能な把持装置（１）。
【請求項９】
上記作動手段（１６）は、ラチェット機構により上記レバー（７）と共に作動し、上記レバー（７）をその引き込み位置にロックすることを特徴とする請求項８に記載の取り外し可能な把持装置（１）。
【請求項１０】
上記レバー（７）は、フック（２２）を有し、
上記フック（２２）は、
上記レバー（７）が上記引き込み位置にあり、かつ、上記作動手段（１６）が上記静止位置にある場合に、上記作動手段（１６）に設けられた開口部（２３）に噛合し、
レバー（７）を解放する前に上記作動手段（１６）がその作動位置へと移動することによって上記開口部（２３）から解放されることを特徴とする請求項８または９に記載の取り外し可能な把持装置（１）。
【請求項１１】
上記フック（２２）は、上面（２４）を有し、
上記上面（２４）は、上記レバー（７）がその引き込み位置へと旋回する場合に、上記作動手段（１６）をその作動位置の方向へ引っ張り、上記開口部（２３）にカチッとはまることができる位置にまで引くことを特徴とする請求項１０に記載の取り外し可能な把持装置（１）。
【請求項１２】
上記変位手段（６）は、上記閉鎖位置にある、上記把持部を形成する２つの部材（３、４）の間の距離を、つかむ容器の厚さに対して調整するように設計されていることを特徴とする請求項１〜１１のいずれか１項に記載の取り外し可能な把持装置（１）。
【請求項１３】
バネ（１５）は、上記トランスミッション手段（９）に設けられており、
上記バネ（１５）は、上記可動部材（４）に作用し、上記把持部を形成する２つの部材（３、４）の間の距離を調整するように設計されていることを特徴とする請求項１２に記載の取り外し可能な把持装置（１）。
【請求項１４】
上記トランスミッション手段（９）は、上記レバー（７）と上記把持部を形成する可動部材（４）とに対して自由に回転する連結ロッド（９）により形成されていることを特徴とする請求項１〜１３のいずれか１項に記載の取り外し可能な把持装置（１）。
【請求項１５】
上記連結ロッド（９）は、上記レバー（７）に対して、軸（１３）の回りを自由に回転し、
上記軸（１３）は、上記把持部本体（２）に蝶番で止められた上記レバー（７）の端部とは反対側の上記レバー（７）の端部の付近に位置していることを特徴とする請求項１４に記載の取り外し可能な把持装置（１）。
【請求項１６】
上記レバー（７）の長さは、互いに接触する３つの指の幅に相当することを特徴とする請求項１〜１５のいずれか１項に記載の取り外し可能な把持装置（１）。
【請求項１７】
上記レバー（７）と上記把持部本体（２）との長さは、ユーザが、上記把持装置（１）を手で保持する際に、人差し指と中指とを上記レバー（７）に添え、くすり指と小指とで上記把持部本体（２）を持つように設定されていることを特徴とする請求項１〜１６のいずれか１項に記載の取り外し可能な把持装置（１）。
【発明の詳細な説明】
【発明の詳細な説明】
【０００１】
本発明は、容器用の取り外し可能な把持装置に関し、特に、鍋またはフライパン用の、取り外し可能なハンドルであって、ユーザが握り方を変えることなく取り外せるものに関する。
【０００２】
把持部を形成する２つの部材が把持部本体に設けられているタイプの、容器用の取り外し可能な把持装置は公知である。この公知の把持装置においては、容器を移動させるときに、把持部を形成する部材の１つが、把持部本体に対して、把持部本体の長軸方向にほぼ平行な方向に沿って、開放位置と閉鎖位置との間を自由に動く。上記閉鎖位置においては、把持部を形成する部材は、容器の縁を保持することができる。
【０００３】
また、上記の把持装置は、上記把持部を形成する部材の位置を互いに変えることができる変位手段（deplacement）を含んでいる。上記変位手段は、レバーとトランスミッション手段とを含んでいる。上記レバーは、把持部本体に対して自由に、展開位置と引き込み位置との間を回転移動する。上記引き込み位置では、上記把持部を形成する可動部材は閉鎖位置にある。一方、上記トランスミッション手段は、レバーと把持部を形成する可動部材との間で伸張し、レバーが回転する際に把持部を形成する可動部材を移動させることができる。また、上記取り外し可能な把持装置は、レバーを伸張するための作動手段を有している。
【０００４】
このような取り外し可能な把持装置は、特許出願ＦＲ  ２  ７３９  ７７２号およびＦＲ  ２  ７６８  ９１４号に記載されている。
【０００５】
しかし、従来の取り外し可能な把持装置から容器を解放しようとすると、ユーザは把持装置を握り変える必要がある。作動手段を作動させて展開位置にレバーを回転しようとすると、手の指または手のひらの存在によってレバーの回転が妨げられる。上記存在は、把持部本体に背圧をかけるために必要であり、作動手段は親指によってかけられた圧力により、把持部本体の長軸方向にほぼ垂直な方向に作動される。
【０００６】
問題は、ユーザが、握り変える必要がなく引き込み位置から展開位置へとレバーを動かし操作でき、従って使用が容易な作動手段が配された取り外し可能な把持装置を作ることである。
【０００７】
この問題に対して提案された解決方法は、作動手段が変位手段とは独立しており、上記作動手段が、把持部本体において、かつ、当該把持部本体の長軸方向に略平行な方向で、引き込み位置と展開位置との間を動くように設けられた上述のタイプの把持装置である。
【０００８】
作動手段が、把持部本体の長軸方向に略平行な方向に自由に動くので、背圧は不要であり、ユーザは、把持部本体を支持するのに最低限必要な力を維持しつつ、レバーを解放することができる。
【０００９】
具体的な一実施形態によれば、静止位置にある作動手段は、作動位置にある場合よりも、把持部を形成する部材に近い位置にある。
【００１０】
この構成によれば、ユーザは、ロック手段を、把持部を形成する部材から離すことにより、ロック手段を開放する。この操作は、把持部を形成する部材をロックする手段を互いに近づけることよりも不自然であり、結果的にレバーが偶発的に開放される可能性をかなり低減できる。
【００１１】
別の具体的な実施形態によれば、作動位置にあるロック手段は、レバーを引き込み位置から展開位置に動かせるようになっている。
【００１２】
この構成によれば、ユーザは、レバーを開放し、その後継続した動きとして、レバーを展開位置へと動かし、把持部を形成する部材を開放位置へと動かす。このように、ユーザはロック手段を操作して、レバーの握り方を変える必要なく、レバーを展開させることができる。
【００１３】
別の具体的な実施形態によれば、把持装置は軸を有し、この軸の回りにレバーおよびトランスミッション手段が蝶番で留められている。この軸手段は、把持部本体に連結されているレバーの端部とは反対の、レバーの端部の近辺にあり、スリットの中を自由に移動する。このスリットは、トランスミッション部材が把持部を形成する可動部材に連結されている端部とは逆の、トランスミッション手段の端部近辺に設けられている。
【００１４】
この具体的な変位手段の構成により、把持装置は、比較的広範囲の厚さを有する容器の端部をつかむことができる。上記範囲とは０．５ｍｍ〜３．５ｍｍで、スリットの中での軸の移動距離にほぼ相当する。
【００１５】
別の実施形態によれば、レバーおよびトランスミッション手段は短く、これにより、ユーザは常に、くすり指と小指とで把持部本体を握ることができ、人差し指と中指とをレバーに置くだけで、レバーの移動範囲を低減できる。
【００１６】
別の具体的な配置によれば、つる巻きバネがトランスミッション手段中に設けられ、これがトグル継手機構の弾性手段として用いられる。それゆえに、連結ロッドを形成する重ね板バネを有する従来の把持装置とは異なり、つかむ容器の端部が厚い場合にも損傷を受ける危険性はない。
【００１７】
レバーの移動幅が少ないために、レバーとトランスミッション手段とに垂直の壁を設けることができ、レバーが展開位置にある場合でさえも、機構全体が隠され、汚物が蓄積することを防ぐことができる。
【００１８】
本発明のその他の特徴は、以下の詳細な説明を読めば、明らかになるであろう。
【００１９】
特に限定されない例として示された添付の図面は以下のものである。
図１は、本発明の取り外し可能な把持装置の分解された斜視図である。
図２は、取り外し可能な把持装置の長軸方向の断面図であり、把持部を形成する部材は閉鎖位置にある。
図３は、取り外し可能な把持装置の長軸方向の断面図であり、把持部を形成する部材は開放位置にある。
【００２０】
図１よりわかるように、容器取り外し可能な把持装置（例えば、フライパン用の取り外し可能なハンドル）は、把持部を形成する２つの部材３・４を備えた把持部本体２を含んでいる。
【００２１】
把持部を形成する第１の部材３は、把持部本体２の一方の端部に固定され、把持部を形成する第２の部材４は、把持部本体２に対して、開放位置（図３）と閉鎖位置（図２）との間を自由に移動できるように設置されている。
【００２２】
把持部を形成する可動部材４は、把持端部５を含み、当該把持端部５は、把持部を形成する固定部材３と協調的に働くことができ、把持部を形成する可動部材４が閉鎖位置にある場合に容器の端部をつかむ。
【００２３】
本実施形態では、把持部を形成する固定部材３と、把持部を形成する可動部材４の把持端部５とは、上端部が外側に湾曲することにより短く湾曲した襟部を形成する容器をつかむことができる形状を有する。
【００２４】
開放用バネ１０は、把持部本体２と、把持部を形成する可動部材４の、把持端部５とは逆方向の支持端１１とで支持され、常に、把持部を形成する可動部材４を開放位置へと動かそうとする。
【００２５】
取り外し可能な把持装置１は、変位手段６を有し、この変位手段６は、把持部を形成する可動部材４を、把持部本体２に対して動かすことができる。
【００２６】
上記変位手段６は、レバー７を有している。レバー７は把持部本体２に対して回転軸８の回りを、展開位置(図３)と引き込み位置(図２)との間で、自由に回転できるように装着されている。回転軸８は、把持部本体２の長軸方向に対して垂直であり、把持部を形成する固定部材３と、レバー７の第１端との付近に配されている。
【００２７】
この例では、レバー７が引き込み位置にある場合には、レバー７は完全に把持部本体の内部にあり、ユーザはそれを操作できない。
【００２８】
レバー７が展開位置にある場合には、把持部を形成する可動部材４は開放位置にあり、レバー７が引き込み位置にある場合には、把持部を形成する可動部材４は閉鎖位置にある。
【００２９】
変位手段６は、トランスミッション手段９も含み、このトランスミッション手段９は、レバー７と把持部を形成する可動部材４との間で伸張し、かつレバー７が回転した際に、把持部を形成する可動部材４を移動させることができる。
【００３０】
図１から図３に図示される実施形態においては、トランスミッション手段９は連結ロッドであり、変位手段６はトグル継手として配置されている。つまり、変位手段６の形状は、レバー７が展開位置にある場合および引き込み位置にある場合に、安定した平衡位置にあり、２つの安定した平衡位置からもう１つの安定した平衡位置へと移る際に、（変位手段６の平衡線で規定される）不安低な平衡位置を通過するような形状になっている。
【００３１】
把持部を形成する可動部材４に対して、連結ロッド９は、把持部を形成する可動部材４の支持端部１１の付近、かつ、連結ロッド９の第１端の付近において、旋回軸１２の回りを自由に回転する。
【００３２】
連結ロッド９は、レバー７に対して、軸１３の回りを自由に回転する。当該軸１３は、スリット１４の内部を自由に移動する。当該スリット１４は、連結ロッド９の内部に設けられ、当該連結ロッドの長軸方向に伸張し、トグル継手としての役割を維持している。軸１３は不安定な平衡位置と安定した平衡位置との間を自由に動く。上記不安定な平衡位置において、軸１３は、回転軸８と旋回軸１２とによって形成されるトグル継手機構の平衡線上に位置している。一方、上記安定した平衡位置において、レバー７は展開位置（軸１３が、平衡線のいわゆる開放側にある位置）または引き込み位置（軸１３が、平衡線のいわゆる閉鎖側にある位置）にある。
【００３３】
トグル継手のバネ１５は、軸１３を常に、その安定した平衡位置に動かそうとする。
【００３４】
軸１３が平衡線の開放側に位置する場合には、開放用バネ１０は、まず、把持部を形成する可動部材４をその開放位置へ動かそうとし、次に、連結ロッド９を介して、レバー７を展開位置へ動かそうとする。
【００３５】
軸１３が平衡線の閉鎖側に位置する場合には、まず、開放用バネ１０は、レバー７をその引き込み位置へ動かそうとし、まず、レバー７を把持部本体２に寄りかからせ、次に連結ロッド９を把持部を形成する可動部材４に寄りかからせる。トグル継手バネ１５は、開放用バネ１０の方向に非常に近い方向に向けられる。続いて、トグル継手バネ１５は、軸１３を平衡位置へと動かそうとし、開放用バネ１０の存在にも関わらず、把持部を形成する可動部材４を閉鎖位置へ移動させる。
【００３６】
ユーザが容器の縁をつかもうとする際、ユーザはその縁を、把持部を形成する固定部材３と、開放位置にある、把持部を形成する可動部材４の把持端部５との間に配置し、レバー７を展開位置から引き込み位置へと回転させる。レバー７を回転させると、連結ロッド９が回転し、把持部を形成する可動部材４が移動し、そして軸１３がトグル継手機構の平衡線を越え、これにより容器の縁を安定してつかむことができる。
【００３７】
軸１３がスリット１４の中を自由に動くことができるので、閉鎖位置にある、把持部を形成する可動部材４の把持端部５と、把持部を形成する固定部材３との間の距離を調整することができ、容器の縁の厚さに合わせることができる。
【００３８】
閉鎖位置にある、把持部を形成する可動部材４の把持端部５と、把持部を形成する固定部材３との間の距離の範囲は、スリット１４内の軸１３の移動幅よりも明らかに小さいので、軸１３は平衡線を越えて安定的に把持を行なうことができる。
【００３９】
図１から図３に示された実施形態によれば、軸１３は、回転軸８の付近にあるレバー７の第１端部とは反対側の、レバー７の第２端部に位置付けられる。スリット１４は、旋回軸１２付近の第１端部とは反対側の、連結ロッド９の第２端部付近に設けられている。軸１３は、トグル継手バネ１５によって作動され、このトグル継手バネ１５は、連結ロッド９の第２端部に最も近いスリット１４の長軸方向の端部に向かって上記軸を動かそうとする。
【００４０】
変位手段６のこの特別な配置により、把持装置１は信頼性高く容器の縁を把持することができ、容器の縁の厚さは、比較的大きい範囲で変動可能である（０．５ｃｍ〜３．５ｃｍ）。
【００４１】
さらに、連結ロッド９の内部で、トグル継手バネ１５として作用するつる巻きバネを使用することにより、つかむことができる容器の縁の厚さの幅を大きく保ったままで、迅速締め付け機構が損傷をうける危険性を排除することができる。
【００４２】
さらに、把持装置１を容易に把持可能なものにするために、レバー７が展開位置にある場合でも、レバー７の長さはより短くなっており、把持装置１を握るユーザは、人差し指および中指をレバー７に添えて、くすり指および小指で把持部本体を握ることができる。これにより、ユーザは、人差し指および中指での把持からレバー７を解放しつつ、くすり指と小指とで把持部本体２を保持し続けることができる。典型的には、レバーの長さは、互いに接触している３つの指の幅に相当する（または、回転軸８から約７ｃｍ、または把持部本体２の外側を旋回するレバーの部分から約６ｃｍである。）。
【００４３】
さらに、より短い連結ロッド９を使用することにより、レバーの移動幅を小さくすることができ、レバー７が展開位置にある場合でも、把持装置１を容易に保持することができる。
【００４４】
上述のように、レバー７が展開位置から引き込み位置に動いた場合、および、その逆の場合に、ユーザは握り手を変える必要がない。
【００４５】
利点として、レバー７と連結ロッド９とは、垂直の壁を含んでおり、レバー７が展開位置にある場合でも、その機構アッセンブリを覆って汚物が蓄積しないように保護していることが挙げられる。
【００４６】
本発明によれば、取り外し可能な把持装置１は、変位手段６とは独立した作動手段１６を有する。当該作動手段１６は、把持部本体２において、把持部本体２の長軸方向に略平行な方向で自由に動くように設置されている。
【００４７】
作動手段１６は、静止位置と作動位置との間で自由に動き、上記作動位置においては、作動手段１６はレバー７を引き込み位置から展開位置へと動かす。
【００４８】
把持部本体２に力をかける復帰バネ１７のなどの復帰手段、および作動手段１６は、継続的に作動手段１６を静止位置へ動かそうとする。
【００４９】
作動手段１６が静止位置にある場合、作動手段１６は、レバー７を安定した引き込み位置に（従って、把持部を形成する部材３・４を閉鎖位置に）保持するように調整されており、作動手段がその静止位置からその作動位置へと動いた場合には、作動手段１６はレバー７に接触して停止し、レバー７を、当該レバー７が不安定な平衡位置を通り過ぎるまで旋回させる。
【００５０】
図２および図３よりわかるように、レバー７は支持面１９を有し、作動手段１６は傾斜面１８を形成する部材を有し、当該傾斜面１８は、レバー７が引き込み位置にありかつ作動手段１６が作動位置にある場合に、支持面１９に接触して停止するように設計されている。
【００５１】
傾斜面１８と支持面１９との形状は、作動手段１６がその静止位置からその作動位置に動く際に、傾斜面１８が支持面１９に接触して停止するとともに、レバー７を回転軸８の回りで展開位置に向かって回転移動させるような形状になっている。傾斜面によりレバー７が旋回することにより、トグル継手機構の平衡点は通過される、すなわち、軸１３は平衡線を通過する。平衡線を一度越えたら、開放用バネ１０は、レバー７を展開位置に動かし、把持部を形成する可動部材４をその開放位置に動かす。
【００５２】
図１から図３に図示される例では、作動手段１６は、静止位置にある場合には、作動位置にある場合より、把持部を形成する部材３・４の近くにある。さらに、傾斜面１８は、回転軸８と、回転軸８に面する支持面１９との間で、把持本体２の長軸方向に沿って配置される。
【００５３】
さらに、作動手段１６は、ユーザが操作可能な作動ボタン２０を有する。当該作動ボタン２０は、レバー７が固定されている側面とは反対の側面において、取り外し可能な把持装置１の面から突出している。把持部を形成する可動部材４は、溝２１を有し、当該溝２１を通って作動ボタン２０が傾斜面１８に固定され（作動ボタン２０と傾斜面１８とは、把持部を形成する可動部材４の両側に位置している）、把持部を形成する可動部材４の動きは、作動手段１６により妨げられず、作動手段１６の動きは把持部を形成する可動部材４によって妨げられない。
【００５４】
ユーザが、レバー７を引き込み位置から展開位置へと動かし、容器を把持部を形成する部材３・４から解放したい場合は、作動ボタン２０を用いて、作動手段１６を作動位置まで動かす。
【００５５】
作動ボタン２０を用いることにより、ユーザは、握り方を変えることなく、作動手段１６を、単に親指を用いて操作することができる。さらに、作動手段１６は、作動位置にある場合よりも静止位置にある場合の方が、把持部を形成する部材３・４の近くにあるので、作動手段１６を操作する場合にユーザは制御ボタン２０を容器の方向に押すのではなく、自分の方に引く必要がある。これにより、制御ボタンを押すことによって誤って解放されないようにする。
【００５６】
さらに、図１および図３に図示された例では、レバー７は、フック２２を有し、作動手段１６は、その内部に開口部２３が形成されたタブ２５を有している。レバー７が引き込み位置にあり、作動手段１６が静止位置にある場合には、フック２２は開口部２３中に噛合するように調整されている。従って、作動手段１６も、レバー７を引き込み位置にロックするように調整されているロック手段と同様に作動する。
【００５７】
フック２２は、開口部２３にラチェット機構（encliquetage）により噛合する。レバー７が展開位置から引き込み位置へと旋回すると、フック２２の上面２４はタブ２５に接触して停止し、その結果、作動手段１６が、その作動位置の方向に動かされ、フック２２が開口部２３内に入る解除位置まで動かされる。この解除位置で、復帰バネ１７が、作動手段１６を静止位置からカチッとはまる位置へと動かす。
【００５８】
それゆえ、作動手段はレバー７を引き込み位置へとロックすることができ、これにより、突然の操作により軸１３を平衡線を越えて通過させ、取り外し可能な把持装置１を誤って開くことを防ぐことができる。
【００５９】
図１から図３に図示される実施形態では、傾斜面１８はタブ２５に固定され、フック２２は支持面１９に固定される。傾斜面１８、支持面１９、フック２２、およびタブ２５は、傾斜位置１８が支持面１９に接触する前に、作動手段１６がその作動位置に移動することによりフック２２が開口部２３から離れるように配置される。すなわち、フック２２は、回転軸８とは反対方向を向き、支持面１９よりも、回転軸８からより遠い位置にある。レバー７が作動手段１６によりロックされている際には、タブ２５はフック２２と同じ高さにあり、タブ２５は、回転軸８に面する、タブ２５の面が把持部本体２の長軸方向の線と鈍角を形成するように傾いている。
【００６０】
このように、レバー７を引き込み位置から展開位置へと動かし、把持部を形成する部材３・４から容器を解放したい場合、ユーザは、作動ボタン２０を用いて、作動手段１６を作動位置にまで動かす。この移動の途中で、ロック解除手段１６は、フック２２が開口部２３ともはや噛合しない解除位置を通り過ぎる。その結果、傾斜面１８が支持面１９に接触して止まる前にレバー７は解除され、レバー７は引き込み位置に向かって回転可能になり、把持部を形成する可動部材４は、その開放位置に動くことができる。
【００６１】
もちろん、本発明は、詳細に説明された上記の実施形態に限定されるものではない。
【００６２】
ロック手段を含まず、トランスミッション手段が連結ロッドではない取り外し可能な把持装置を作ることは可能である。
【００６３】
２つの把持部を形成する部材間の距離が、閉鎖位置にある場合に、つかむ容器の厚さに合うように調節されていない変位手段を実現することも可能である。
【００６４】
また、以下のような取り外し可能な把持装置を作ることも可能である。すなわち、把持部を形成する２つの部材と、変位手段と、ロック手段とを備え、上記把持部を形成する２つの部材は、把持部本体に取り付けられ、上記把持部を形成する２つの部材の１つは、上記把持部本体に対して、上記把持部本体の長軸方向に略平行な方向に沿って、開放位置と閉鎖位置との間を自由に動き、上記閉鎖位置において、上記把持部を形成する部材は、上記容器の縁を把持するように調整されており、上記変位手段は、上記把持部を形成する部材の互いの位置を相対的に変化させるように調整されており、さらに上記変位手段は、レバーとトランスミッション手段とを有し、上記レバーは、上記把持部本体に対して、展開位置と引き込み位置との間を自由に回転移動し、上記引き込み位置では、上記把持部を形成する可動部材は上記閉鎖位置にあり、上記トランスミッション手段は、上記レバーと上記把持部を形成する可動部材との間を伸張し、上記レバーが旋回する場合に、上記把持部を形成する可動部材を移動させるように調整されており、レバーが短く、すなわち、把持部本体をレバーの内側で少なくとも小指とくすり指とを用いて握ることができ、レバーが展開位置にある場合であれ、引き込み位置にある場合であるかに関わらず、握り方を変える必要がないことを特徴とする取り外し可能な把持装置も可能である。好ましくは、連結ロッドなどのトランスミッション手段は、レバーが把持部本体に蝶番で取り付けられている端部と反対側のレバーの端部に蝶番で取り付けられていることが好ましい。明らかに、この種の把持装置は、本明細書で述べた具体的な特徴を有することができる。
【図面の簡単な説明】
【００６５】
【図１】本発明の取り外し可能な把持装置の分解斜視図である。
【図２】取り外し可能な把持装置の長軸方向の断面図である。
【図３】取り外し可能な把持装置の長軸方向の断面図である。
【図１】
2006502755.tif 000003
【図２】
2006502755.tif 000004
【図３】
2006502755.tif 000005
【手続補正書】
【提出日】平成16年8月23日(2004.8.23)
【手続補正１】
【補正対象書類名】特許請求の範囲
【補正対象項目名】全文
【補正方法】変更
【補正の内容】
【特許請求の範囲】
【請求項１】
容器用の取り外し可能な把持装置（１）であって、
把持部を形成する２つの部材（３、４）と、
変位手段（６）と、
作動手段（１６）とを備え、
上記把持部を形成する２つの部材（３、４）は、把持部本体（２）に取り付けられ、
上記把持部を形成する２つの部材（３、４）の１つは、上記把持部本体（２）に対して、上記把持部本体（２）の長軸方向に略平行な方向に沿って、開放位置と閉鎖位置との間を自由に動き、
上記閉鎖位置において、上記把持部を形成する部材（３、４）は、上記容器の縁を把持するように調整されており、
上記変位手段（６）は、上記把持部を形成する部材（３、４）の互いの位置を相対的に変化させるように調整されており、
さらに上記変位手段（６）は、レバー（７）とトランスミッション手段（９）とを有し、
上記レバー（７）は、上記把持部本体（２）に対して、展開位置と引き込み位置との間を自由に回転移動し、
上記引き込み位置では、上記把持部を形成する可動部材（４）は上記閉鎖位置にあり、
上記トランスミッション手段（９）は、上記レバー（７）と上記把持部を形成する可動部材（４）との間を伸張し、上記レバー（７）が旋回する場合に、上記把持部を形成する可動部材（４）を移動させるように調整されており、
上記作動手段（１６）は、上記レバー（７）を展開させ、
上記作動手段（１６）は、上記変位手段（６）とは独立しており、上記把持部本体（２）において、当該把持部本体（２）の長軸方向と略平行な方向に沿って、静止位置と作動位置との間で自由に動くように配されており、
上記作動位置において、上記作動手段（２６）は、上記レバー（７）をその引き込み位置からその展開位置へと動かし、
上記変位手段の形状は、
上記レバー（７）が上記展開位置および上記引き込み位置にある場合に、当該レバー（７）は安定な平衡位置にあり、上記２つの安定な平衡位置のうちの１つから他の１つに移る際に、中間の不安定な平衡位置を通過する、
ように設計されていることを特徴とする容器用の取り外し可能な把持装置（１）。
【請求項２】
復帰手段（１７）は、上記作動手段（１６）をその静止位置に動かそうとする力を常に当該作動手段（１６）にかけていることを特徴とする請求項１に記載の取り外し可能な把持装置（１）。
【請求項３】
上記作動手段（１６）は、上記作動位置にある場合よりもその静止位置にある場合に、上記把持部を形成する部材（３、４）により近い位置にあることを特徴とする請求項１または２に記載の取り外し可能な把持装置（１）。
【請求項４】
上記作動手段（１６）は、傾斜面（１８）を形成する部材を有し、
上記傾斜面（１８）を形成する部材は、
上記作動手段（１６）が上記作動位置にある場合に、上記レバー（７）の支持面（１９）に接触して停止するとともに、
上記レバー（７）を、その引き込み位置から上記不安定な平衡位置を通過する位置まで旋回移動させることを特徴とする請求項１〜３のいずれか１項に記載の取り外し可能な把持装置（１）。
【請求項５】
上記作動手段（１６）は作動ボタン（２０）を含み、
上記作動ボタン（２０）は、手動で操作されることにより上記作動手段（１６）を動かすことができ、上記レバー（７）が固定されている面とは反対側の、上記把持部本体（２）の面から突出していることを特徴とする請求項１〜４のいずれか１項に記載の取り外し可能な把持装置（１）。
【請求項６】
上記把持部を形成する可動部材（４）は、溝（２１）を有し、
上記溝（２１）を通して、上記作動ボタン（２０）は上記傾斜面（１８）に固定されていることを特徴とする請求項４または５に記載の取り外し可能な把持装置（１）。
【請求項７】
上記静止位置にある上記作動手段（１６）は、上記レバー（７）がその引き込み位置からその不安定な平衡位置へと旋回することを妨げるように設計されていることを特徴とする請求項１〜６のいずれか１項に記載の取り外し可能な把持装置（１）。
【請求項８】
上記作動手段（１６）は、ラチェット機構により上記レバー（７）と共に作動し、上記レバー（７）をその引き込み位置にロックすることを特徴とする請求項７に記載の取り外し可能な把持装置（１）。
【請求項９】
上記レバー（７）は、フック（２２）を有し、
上記フック（２２）は、
上記レバー（７）が上記引き込み位置にあり、かつ、上記作動手段（１６）が上記静止位置にある場合に、上記作動手段（１６）に設けられた開口部（２３）に噛合し、
レバー（７）を解放する前に上記作動手段（１６）がその作動位置へと移動することによって上記開口部（２３）から解放されることを特徴とする請求項７または８に記載の取り外し可能な把持装置（１）。
【請求項１０】
上記フック（２２）は、上面（２４）を有し、
上記上面（２４）は、上記レバー（７）がその引き込み位置へと旋回する場合に、上記作動手段（１６）をその作動位置の方向へ引っ張り、上記開口部（２３）にカチッとはまることができる位置にまで引くことを特徴とする請求項９に記載の取り外し可能な把持装置（１）。
【請求項１１】
上記変位手段（６）は、上記閉鎖位置にある、上記把持部を形成する２つの部材（３、４）の間の距離を、つかむ容器の厚さに合わせて調整するように設計されていることを特徴とする請求項１〜１０のいずれか１項に記載の取り外し可能な把持装置（１）。
【請求項１２】
バネ（１５）は、上記トランスミッション手段（９）に設けられており、
上記バネ（１５）は、上記可動部材（４）に作用し、上記把持部を形成する２つの部材（３、４）の間の距離を調整するように設計されていることを特徴とする請求項１１に記載の取り外し可能な把持装置（１）。
【請求項１３】
上記トランスミッション手段（９）は、上記レバー（７）と上記把持部を形成する可動部材（４）とに対して自由に回転する連結ロッド（９）により形成されていることを特徴とする請求項１〜１２のいずれか１項に記載の取り外し可能な把持装置（１）。
【請求項１４】
上記連結ロッド（９）は、上記レバー（７）に対して、軸（１３）の回りを自由に回転し、
上記軸（１３）は、上記把持部本体（２）に蝶番で止められた上記レバー（７）の端部とは反対側の上記レバー（７）の端部の付近に位置していることを特徴とする請求項１３に記載の取り外し可能な把持装置（１）。
【請求項１５】
上記レバー（７）の長さは、互いに接触する３つの指の幅に相当することを特徴とする請求項１〜１４のいずれか１項に記載の取り外し可能な把持装置（１）。
【請求項１６】
上記レバー（７）と上記把持部本体（２）との長さは、ユーザが、上記把持装置（１）を手で保持する際に、人差し指と中指とを上記レバー（７）に添え、くすり指と小指とで上記把持部本体（２）を持つように設定されていることを特徴とする請求項１〜１５のいずれか１項に記載の取り外し可能な把持装置（１）。
【国際調査報告】
2006502755.tif 000006
2006502755.tif 000007
2006502755.tif 000008
2006502755.tif 000009
2006502755.tif 000010
2006502755.tif 000011